【手続補正書】
【提出日】平成30年5月30日(2018.5.30)
【手続補正１】
【補正対象書類名】明細書
【補正対象項目名】０１０１
【補正方法】変更
【補正の内容】
【０１０１】
上述の実施例を参照すれば、多数の更なる修正と変形が当業者の心にひとりでに浮かぶであろうし、また、これらの実施例は、単に例として記載されており、本発明の範囲を制限する意図はなく、本発明の範囲は、後述の特許請求の範囲の請求項のみによって定められる。特に、種々の実施形態からの種々の特徴は、適切な場合、置き替えられ得る。
ここで例としていくつかの付記を記載する。
（付記１）
メディア・パッケージに関するデータを送信する方法であって、前記メディア・パッケージはディスプレイにおいてレンダリングされる１つ又は複数のメディア・エンティティのメディア・データを含んでおり、前記方法は、
各々のメディア・パッケージについて、複数の空間的構成データ・セットであって、各々の空間的構成データ・セットが、前記ディスプレイにおける前記メディア・パッケージの１つ又は複数のメディア・エンティティのそれぞれの初期の空間的レンダリングを規定する、前記複数の空間的構成データ・セットと、
各々の空間的構成データ・セットについて、前記ディスプレイにおける前記１つ又は複数のメディア・エンティティの時間的レンダリングを規定する少なくとも１つの対応する時間的構成データ・セットと、
を送信することを含む、前記方法。
（付記２）
メディア・パッケージのデータを処理する方法であって、前記メディア・パッケージはディスプレイにおいてレンダリングされる１つ又は複数のメディア・エンティティのメディア・データを含んでおり、前記方法は、
各々のメディア・パッケージについて、複数の空間的構成データ・セットであって、各々の空間的構成データ・セットが、ディスプレイにおける１つ又は複数のメディア・エンティティのそれぞれの初期の空間的レンダリングを規定する、前記複数の空間的構成データ・セットと、
各々の空間的構成データ・セットについて、前記ディスプレイにおける前記メディア・パッケージの１つ又は複数のメディア・エンティティの時間的レンダリングを規定する少なくとも１つの対応する時間的構成データ・セットと、
を取得することを含み、前記方法は、更に、
前記複数の空間的構成データ・セットと前記対応する時間的構成データ・セットとに従って前記１つ又は複数のメディア・エンティティをレンダリングすること、
を含む、前記方法。
（付記３）
前記１つ又は複数のメディア・エンティティが前記ディスプレイのビューにおいてレンダリングされ、各々のビューが時間に依存しており、前記時間的構成データ・セットは、対応するビューが、前の時間的構成データ・セットに規定されたビューに比べて変化していることを示すインジケータを含んでいる、付記１または２に記載の方法。
（付記４）
メディア・パッケージに関するデータを送信する方法であって、前記メディア・パッケージはディスプレイにおいてレンダリングされる１つ又は複数のメディア・エンティティのメディア・データを含んでおり、前記方法は、
各々のメディア・パッケージについて、少なくとも１つの空間的構成データ・セットであって、前記又は各々の空間的構成データ・セットが、ディスプレイにおける１つ又は複数のメディア・エンティティのそれぞれの初期の空間的レンダリングを規定する、前記少なくとも１つの空間的構成データ・セットと、
各々の空間的構成データ・セットについて、前記ディスプレイにおける前記１つ又は複数のメディア・エンティティの時間的レンダリングを規定する少なくとも１つの対応する時間的構成データ・セットと、
を送信することを含み、
前記１つ又は複数のメディア・エンティティは前記ディスプレイのビューにおいてレンダリングされ、各々のビューが時間に依存しており、前記時間的構成データ・セットは、対応するビューが、前の時間的構成データ・セットに規定されたビューに比べて変化していることを示すインジケータを含んでいる、前記方法。
（付記５）
メディア・パッケージのデータを処理する方法であって、前記メディア・パッケージはディスプレイにおいてレンダリングされる１つ又は複数のメディア・エンティティのメディア・データをふくんでおり、前記方法は、
各々のメディア・パッケージについて、少なくとも１つの空間的構成データ・セットであって、前記又は各々の空間的構成データ・セットが、ディスプレイにおける前記１つ又は複数のメディア・エンティティの初期の空間的レンダリングを規定する、前記少なくとも１つの空間的構成データ・セットと、
各々の空間的構成データ・セットについて、前記ディスプレイにおける前記１つ又は複数の要素の時間的レンダリングを規定する少なくとも１つの対応する時間的構成データ・セットと、
を取得することを含み、前記方法は、更に、
前記少なくとも１つの空間的構成データ・セットと前記対応する時間的構成データ・セットとに従って前記１つ又は複数のメディア・エンティティをレンダリングすることを含み、前記１つ又は複数のメディア・エンティティは前記ディスプレイのビューにおいてレンダリングされ、各々のビューが時間に依存しており、前記時間的構成データ・セットは、対応するビューが、前の時間的構成データ・セットに規定されたビューに比べて変化していることを示すインジケータを含んでいる、前記方法。
（付記６）
複数の空間的構成データ・セットが各々のメディア・パッケージについて送信され、各々の空間的構成データ・セットが、前記メディア・パッケージのメディア・エンティティのそれぞれの初期の空間的レンダリングを規定する、付記４又は５に記載の方法。
（付記７）
各々の空間的構成データ・セットがＨＴＭＬページである、付記１〜６のいずれか１項に記載の方法。
（付記８）
前記１つ又は複数のメディア・エンティティが前記ディスプレイのビューにおいてレンダリングされ、各々のビューが時間に依存し、且つ、少なくとも１つの表示領域から構成されており、前記時間的構成データ・セットは、表示領域が、前の時間的構成データ・セットに規定された表示領域に比べて変化していることを示すインジケータを含んでいる、付記１〜７のいずれか１項に記載の方法。
（付記９）
各々の空間的構成データ・セットが、各々の空間的構成データ・セットと各々の対応する時間的構成データ・セットとをリンクさせるそれぞれの識別子を有している、付記１〜８のいずれか１項に記載の方法。
（付記１０）
前記識別子がそれぞれの前記空間的構成データ・セットのヘッダに含まれている、付記１０に記載の方法。
（付記１１）
各々の時間的構成データ・セットが、対応する空間的構成データ・セットの識別子を含んでいる、付記９又は１０に記載の方法。
（付記１２）
各々の時間的構成データ・セットがＣＩフラグメントであり、対応する空間的構成データ・セットの識別子が、ＣＩフラグメントのＶｉｅｗ要素及びＭｅｄｉａ  Ｓｙｎｃ要素と同じレベルで前記ＣＩフラグメント中に挿入される、付記９から１１のいずれか１項に記載の方法。
（付記１３）
前記時間的構成データ・セットが、前記それぞれの識別子によって示された対応する空間的構成データ・セットが受信された場合にのみ、前記メディア・エンティティのレンダリング用に処理される、付記９から１２のいずれか１項に記載の方法。
（付記１４）
メディア・パッケージに関するデータを送信する送信装置であって、前記メディア・パッケージはディスプレイにおいてレンダリングされる１つ又は複数のメディア・エンティティのメディア・データを含んでおり、前記装置は、
各々のメディア・パッケージについて、複数の空間的構成データ・セットであって、各々の空間的構成データ・セットが、前記ディスプレイにおける前記メディア・パッケージの前記１つ又は複数のメディア・エンティティのそれぞれの初期の空間的レンダリングを規定する、前記複数の空間的構成データ・セットと、
各々の空間的構成データ・セットについて、前記ディスプレイにおける前記１つ又は複数のエンティティの時間的レンダリングを規定する少なくとも１つの対応する時間的構成データ・セットと、
を送信するように構成された送信モジュールを有する、前記送信装置。
（付記１５）
メディア・パッケージのデータを処理する装置であって、前記メディア・パッケージはディスプレイにおいてレンダリングされる１つ又は複数のメディア・エンティティのメディア・データを含んでおり、前記装置は、
メディア・パッケージを含む／に関連付けられたデータを受信する受信モジュールと、
各々のメディア・パッケージについて、複数の空間的構成データ・セットであって、各々の空間的構成データ・セットが、ディスプレイにおける前記メディア・パッケージの１つ又は複数のメディア・エンティティのそれぞれの初期の空間的レンダリングを規定する、前記複数の空間的構成データ・セットと、
各々の空間的構成データ・セットについて、前記ディスプレイにおける前記１つ又は複数のメディア・エンティティの時間的レンダリングを規定する少なくとも１つの対応する時間的構成データ・セットと、
を、前記受信されたデータから抽出するモジュールと、
前記複数の空間的構成データ・セットと前記対応する時間的構成データ・セットとに従って前記１つ又は複数のメディア・エンティティをレンダリングするレンダリング・エンジンと、
を有する、前記装置。
（付記１６）
各々の空間的構成データ・セットが、各々の空間的構成データ・セットと各々の対応する時間的構成データ・セットとをリンクさせるそれぞれのバージョン識別子を有している、付記１４又は１５に記載の装置。
（付記１７）
メディア・パッケージを送信する送信装置であって、前記メディア・パッケージはディスプレイにおいてレンダリングされる１つ又は複数のメディア・エンティティのメディア・データを含んでおり、前記装置は、
各々のメディア・パッケージについて、少なくとも１つの空間的構成データ・セットであって、前記又は各々の空間的構成データ・セットが、ディスプレイにおける前記メディア・パッケージの１つ又は複数のメディア・エンティティの初期の空間的レンダリングを規定する、前記少なくとも１つの空間的構成データ・セットと、
各々の空間的構成データ・セットについて、前記ディスプレイにおける前記１つ又は複数の要素の時間的レンダリングを規定する少なくとも１つの対応する時間的構成データ・セットと、
を送信するように構成された送信モジュールを含み、
前記１つ又は複数のメディア・エンティティが前記ディスプレイのビューにおいてレンダリングされ、各々のビューが時間に依存しており、前記時間的構成データ・セットは、対応するビューが、前の時間的構成データ・セットに規定されたビューに比べて変化していることを示すインジケータを含んでいる、前記送信装置。
（付記１８）
メディア・パッケージを処理する装置であって、前記メディア・パッケージはディスプレイにおいてレンダリングされる１つ又は複数のメディア・エンティティのメディア・データを含んでおり、前記装置は、
メディア・パッケージを含む／に対応付けられたデータを受信する受信モジュールと、
各々のメディア・パッケージについて、少なくとも１つの空間的構成データ・セットであって、前記又は各々の空間的構成データ・セットが、ディスプレイにおける１つ又は複数のメディア・エンティティのそれぞれの初期の空間的レンダリングを規定する、前記少なくとも１つの空間的構成データ・セットと、
各々の空間的構成データ・セットについて、前記ディスプレイにおける前記１つ又は複数のエンティティの時間的レンダリングを規定する少なくとも１つの対応する時間的構成データ・セットと、
を、前記受信されたデータから抽出するモジュールと、
１つ又は複数の前記空間的構成データ・セットと前記対応する時間的構成データ・セットとに従って前記１つ又は複数のメディア・エンティティをレンダリングするレンダリング・エンジンと、
を有しており、
前記１つ又は複数のメディア・エンティティが前記ディスプレイのビューにおいてレンダリングされ、各々のビューが時間に依存しており、前記時間的構成データ・セットは、対応するビューが、前の時間的構成データ・セットに規定されたビューに比べて変化していることを示すインジケータを含んでいる、前記装置。
（付記１９）
各々の空間的構成データ・セットがＨＴＭＬページである、付記１４〜１８のいずれか１項に記載の装置。
（付記２０）
１つ又は複数のメディア・エンティティのメディア・データを含むメディア・パッケージを処理する付記１５、１６、１８及び１９のうちのいずれか１項に記載の装置と、前記メディア・エンティティをレンダリングするディスプレイと、を含む表示装置。
（付記２１）
メディア・データ・パッケージであって、
ディスプレイにおいてレンダリングされる１つ又は複数のメディア・エンティティのメディア・データと、
複数の空間的構成データ・セットであって、各々の空間的構成データ・セットが、前記メディア・パッケージの１つ又は複数のメディア・エンティティのそれぞれの初期の空間的レンダリングを規定する空間的構成データを含む、前記複数の空間的構成データ・セットと、
各々の空間的構成データ・セットについて、前記メディア・データの前記１つ又は複数のメディア・エンティティの時間的レンダリングを規定する少なくとも１つの対応する時間的構成データ・セットと、
を含む、前記メディア・データ・パッケージ。
（付記２２）
各々の時間的構成データ・セットは、対応するビューが、前の時間的構成データ・セットに規定されたビューに比べて変化していることを示すインジケータを含んでいる、付記２１に記載のメディア・データ・パッケージ。
（付記２３）
メディア・データ・パッケージであって、
ディスプレイにおいてレンダリングされる１つ又は複数のメディア・エンティティのメディア・データと、
少なくとも１つの空間的構成データ・セットであって、前記又は各々の空間的構成データ・セットが、前記１つ又は複数のメディア・エンティティのそれぞれの初期の空間的レンダリングを規定する空間的構成データを含む、前記少なくとも１つの空間的構成データ・セットと、  各々の空間的構成データ・セットについて、前記メディア・データの前記１つ又は複数のメディア・エンティティの時間的レンダリングを規定する少なくとも１つの対応する時間的構成データ・セットと、
を含み、
前記１つ又は複数のメディア・エンティティが前記ディスプレイのビューにおいてレンダリングされ、各々のビューが時間に依存し、前記時間的構成データ・セットは、対応するビューが、前の時間的構成データ・セットに規定されたビューに比べて変化していることを示すインジケータを含んでいる、前記メディア・データ・パッケージ。
（付記２４）
各々の時間的構成データ・セットが、対応する空間的構成データ・セットの識別子を含んでいる、付記２１〜２３のいずれか１項に記載のメディア・データ・パッケージ。
（付記２５）
プログラム可能な装置用のコンピュータ・プログラム製品であって、前記プログラム可能な装置は、前記プログラム可能な装置にロードされて前記プログラム可能な装置によって実行される際に、付記１〜１３のいずれか１項に記載の方法を実施する一連の命令を有している、前記コンピュータ・プログラム製品。